(57)【要約】【課題】本発明は、ベルトコンベアによって搬送される茸栽培体全体に対してより効果的に振動を加えることができ、茸の育成をより確実に促進できる茸栽培用装置を提供することを目的とするものである。【解決手段】ベルトコンベアの下方には、振動発生器５０、支持板５１、複数個の弾性体５２、一対の腕部５３、及び振動板５４を有する振動装置５が配置されている。腕部５３の一端５３ａは、支持板５１を介して振動発生器５０に接続されており、他端５３ｂは、搬送ベルト３２の幅方向３２ｃに沿う両側に配置されている。振動板５４は、腕部５３の他端５３ｂ間に設けられており搬送ベルト３２の下面に接して配置されている。菌床１には、振動発生器５０で発生されて、支持板５１、腕部５３及び振動板５４を介して搬送ベルト３２に伝えられた鉛直方向に沿う振動５ａが下方から加えられる。【選択図】図２
2013223436.tif 000002
【特許請求の範囲】
【請求項１】
循環駆動される無端状の搬送ベルトを有し、前記搬送ベルトの循環経路における往路において前記搬送ベルトの上面に載置された茸栽培体を搬送するベルトコンベアと、
前記ベルトコンベアの下方に配置された振動発生器と、
一端が前記振動発生器に接続されるとともに、他端が前記搬送ベルトの幅方向に沿う両側に配置された一対の腕部と、
前記腕部の前記他端間に設けられ前記往路における前記搬送ベルトの下面に接して配置された振動板と
を備え、
前記振動発生器で発生されるとともに前記腕部及び前記振動板を介して前記搬送ベルトに伝えられた鉛直方向に沿う振動が、前記搬送ベルト上の前記茸栽培体に対して下方から加えられるように構成されていることを特徴とする茸栽培用装置。
【請求項２】
前記ベルトコンベア及び前記振動発生器は基台に支持されており、前記振動発生器と前記基台との間には弾性体が介在されていることを特徴とする請求項１記載の茸栽培用装置。
【請求項３】
前記振動板の表面には、前記往路において前記搬送ベルトを上下動させる凹凸が形成されていることを特徴とする請求項１又は請求項２に記載の茸栽培用装置。
【請求項４】
前記ベルトコンベアは、前記搬送ベルトの循環を案内するガイドレールをさらに有しており、前記ガイドレールは、前記往路において前記搬送ベルトを上下動させることを特徴とする請求項１から請求項３までのいずれか１項に記載の茸栽培用装置。
【請求項５】
高電圧を発生する高電圧発生部と、
前記高電圧発生部に接続されるとともに、前記搬送ベルト上の前記茸栽培体と対向するように配置され、前記茸栽培体から離間された状態で前記高電圧発生部から高電圧が印加されることで、火花放電により前記茸栽培体に電気刺激を加える球状の放電極と
を備えていることを特徴とする請求項１から請求項４までのいずれか１項に記載の茸栽培用装置。
【請求項６】
前記搬送ベルトは、導電性ベルトにより構成されていることを特徴とする請求項５記載の茸栽培用装置。
【発明の詳細な説明】
【技術分野】
【０００１】
本発明は、例えば椎茸等の茸の栽培に用いる茸栽培用装置に関する。
【背景技術】
【０００２】
近年、例えば椎茸等の茸を栽培する際に、例えばほだ木や菌床等の茸栽培体に刺激を加えることで、茸の育成を促進できることが注目されている。このような茸の栽培に用いられる装置としては、例えば下記の特許文献１等に記載されたものを挙げることができる。すなわち、従来装置では、ベルトコンベアによって搬送される茸栽培体の側方に振動装置を配置して、この振動装置から茸栽培体に対して水平方向に振動を加えるように構成されている。
【先行技術文献】
【特許文献】
【０００３】
【特許文献１】特開２００７−６８４４０号公報
【発明の概要】
【発明が解決しようとする課題】
【０００４】
上記のような従来装置では、茸栽培体に対して側方から水平方向に沿う振動を加えるので、茸栽培体全体に効果的に振動を加えることができず、茸の育成を十分に促進できない場合がある。また、垂直方向への振動はベルトコンベアがあるため、振動を加えることは困難である。
【０００５】
本発明は、上記のような課題を解決するためになされたものであり、その目的は、ベルトコンベアによって搬送される茸栽培体全体に対してより効果的に振動を加えることができ、茸の育成をより確実に促進できる茸栽培用装置を提供することである。
【課題を解決するための手段】
【０００６】
本発明に係る茸栽培用装置は、循環駆動される無端状の搬送ベルトを有し、搬送ベルトの循環経路における往路において搬送ベルトの上面に載置された茸栽培体を搬送するベルトコンベアと、ベルトコンベアの下方に配置された振動発生器と、一端が振動発生器に接続されるとともに、他端が搬送ベルトの幅方向に沿う両側に配置された一対の腕部と、腕部の他端間に設けられ往路における搬送ベルトの下面に接して配置された振動板とを備え、振動発生器で発生されるとともに腕部及び振動板を介して搬送ベルトに伝えられた鉛直方向に沿う振動が、搬送ベルト上の茸栽培体に対して下方から加えられるように構成されている。
【発明の効果】
【０００７】
本発明の茸栽培用装置によれば、搬送ベルト上の茸栽培体に対して鉛直方向に沿う振動を下方から加えるので、ベルトコンベアによって搬送される茸栽培体全体に対してより効果的に振動を加えることができ、茸の育成をより確実に促進できる。
【図面の簡単な説明】
【０００８】
【図１】本発明の実施の形態１による茸栽培用装置を示す正面図である。
【図２】図１の線ＩＩ−ＩＩに沿う断面図である。
【発明を実施するための形態】
【０００９】
以下、本発明を実施するための形態について、図面を参照して説明する。
実施の形態１．
図１は本発明の実施の形態１による茸栽培用装置を示す正面図であり、図２は図１の線ＩＩ−ＩＩに沿う断面図である。図１に示す茸栽培用装置は、例えば椎茸等の茸の菌糸が培養された菌床１（茸栽培体）に振動及び電気刺激を加えることで、茸の育成を促進するためのものである。なお、本実施の形態では、茸の栽培に菌床１を用いる例を説明するが、例えばほだ木等を茸の栽培に用いてもよい。すなわち、茸栽培体は、菌床１に限定されず、例えばほだ木等でもよい。
【００１０】
図１に示すように、茸栽培用装置は、基台２、ベルトコンベア３、ガイドレール４、振動装置５、及び電気刺激装置６を有している。基台２は、下部枠体２０と、下部枠体２０の上部に設けられた複数の軸支体２１と、下部枠体２０の下部に取付けられた複数のキャスタ２２とを有している。ベルトコンベア３、ガイドレール４、振動装置５及び電気刺激装置６は、基台２によって一体として移動可能に支持されている。
【００１１】
ベルトコンベア３は、軸支体２１に回転自在に支持された第１及び第２軸体３０，３１と、第１及び第２軸体３０，３１に巻き掛けられた無端状の搬送ベルト３２と、第２軸体３１を回転させることで搬送ベルト３２を循環駆動する駆動モータ３３とを有している。駆動モータ３３は、搬送ベルト３２の循環速度を任意に変更できるように構成されている。
【００１２】
搬送ベルト３２の循環経路には、第１軸体３０から第２軸体３１に向かう往路３２ａと、往路３２ａの下方に位置し第２軸体３１から第１軸体３０に向かう復路３２ｂとが含まれている。ベルトコンベア３は、往路３２ａにおいて搬送ベルト３２の上面に載置された菌床１を第１軸体３０側から第２軸体３１側に向けて搬送する。以降、第１軸体３０から第２軸体３１に向う方向を搬送方向３ａと呼ぶ。
【００１３】
搬送ベルト３２は、複数本の金属線条体が編まれることで形成された導電性ベルトによって構成されている。また、搬送ベルト３２は、基台２を介して接地されている。搬送ベルト３２がこのように構成されるのは、後述のように電気刺激装置６から菌床１に火花放電を行うためである。
【００１４】
ガイドレール４は、基台２の軸支体２１間に設けられた断面コ字状（図２参照）のレール体であり、往路３２ａにおいて搬送ベルト３２の循環を案内するものである。図２に示すように、ガイドレール４には、搬送ベルト３２の幅方向３２ｃに沿う側端が挿入された案内溝４ａが設けられている。案内溝４ａは、搬送方向３ａに沿って波打つように形成されており、往路３２ａにおいて搬送ベルト３２を上下動させる（図１参照）。菌床１は、搬送ベルト３２の上下動により鉛直方向１０に沿って振動される。
【００１５】
図２に示すように、振動装置５は、振動発生器５０、支持板５１、複数個の弾性体５２、一対の腕部５３、及び振動板５４を有するものである。
【００１６】
振動発生器５０は、例えば偏心された回転体を含む振動モータ又はノッカー等の起振手段により構成されたものであり、ベルトコンベア３の下方に配置されている。また、振動発生器５０は、発生する振動の振幅、周波数及びパターンの少なくとも１つを任意に変更できるように構成されている。
【００１７】
支持板５１は、搬送ベルト３２の幅方向３２ｃに沿って延在された板体であり、振動発生器５０の上部に固定されている。弾性体５２は、基台２の下部枠体２０と支持板５１との間に介在された制振ゴムであり、振動発生器５０で発生された振動が支持板５１を介して基台２に伝わることを制限するためのものである。
【００１８】
腕部５３は、支持板５１から上方へ向けて延びる板体により構成されている。下方に位置する腕部５３の一端５３ａは、支持板５１を介して振動発生器５０に接続されている。上方に位置する腕部５３の他端５３ｂは、搬送ベルト３２の幅方向３２ｃに沿う両側に配置されている。また、腕部５３の他端５３ｂは、鉛直方向１０に沿う往路３２ａの搬送ベルト３２と復路３２ｂの搬送ベルト３２との間に配置されている。
【００１９】
振動板５４は、腕部５３の他端５３ｂ間に設けられた板体であり、往路３２ａにおける搬送ベルト３２の下面に接して配置されている。振動板５４の表面には、往路３２ａにおいて搬送ベルト３２を上下動させる凹凸（図示せず）が形成されている。
【００２０】
搬送ベルト３２上の菌床１には、振動発生器５０で発生されるとともに、支持板５１、腕部５３及び振動板５４を介して搬送ベルト３２に伝えられた鉛直方向に沿う振動５ａが下方から加えられる。すなわち、菌床１に加えられる振動５ａは、菌床１全体を突き上げるような振動となる。
【００２１】
なお、振動発生器５０は、図示しない導線により接地されている。これにより、後述の電気刺激装置６により菌床１に火花放電が行われた場合でも、振動発生器５０の内部機構に高電圧が印加されることを防止できる。
【００２２】
電気刺激装置６は、高電圧発生器６０（高電圧発生部）、放電極６１、同軸ケーブル６２、近接センサ６３及び支持体６４を有するものである。
【００２３】
高電圧発生器６０は、商用電源又はバッテリからの電力を用いて例えば１００ＫＶ程度の直流の高電圧を生成するものである。放電極６１は、球状の電極であり、振動板５４の上方において搬送ベルト３２上の菌床１と対向するように配置されている。同軸ケーブル６２は、放電極６１に高電圧発生器６０を接続している。すなわち、放電極６１には、高電圧発生器６０からの高電圧が印加される。
【００２４】
近接センサ６３は、放電極６１に菌床１が近接したことを検出するためのセンサである。高電圧発生器６０は、放電極６１に菌床１が近接したことが近接センサ６３によって検出された際に放電極６１に高電圧を印加する。放電極６１に高電圧が印加された場合、放電極６１と菌床１との間に火花放電が発生される。この火花放電により菌床１に電気刺激が加えられ、茸の育成がさらに促進される。なお、同軸ケーブル６２は、電気刺激の大きさを変更するために、種々の長さを有するものに取り替え可能とされている。
【００２５】
支持体６４は、支持体本体６４ａと可動片６４ｂとを含んでいる。支持体本体６４ａは、基台２の下部枠体２０に支持されている。可動片６４ｂは、搬送ベルト３２に対して近づく方向及び離れる方向に進退できるように、支持体本体６４ａに取付けられている。放電極６１は、可動片６４ｂの先端部（下端部）に取付けられている。
【００２６】
次に、本実施の形態の茸栽培用装置の使用方法について説明する。まず、作業者の操作により、駆動モータ３３による搬送ベルト３２の循環速度と、振動発生器５０によって発生される振動の振幅、周波数及びパターンとが適宜設定される。また、高電圧発生器６０と放電極６１とを接続する同軸ケーブル６２が適宜選定されるとともに、作業者の操作により可動片６４ｂが進退されて放電極６１と菌床１との離間距離が調節される。
【００２７】
その次に、搬送ベルト３２の循環駆動が開始されるとともに、搬送ベルト３２上に菌床１が次々に置かれることで、菌床１の搬送が行われる。このとき、ガイドレール４により搬送ベルト３２が上下動されていることで、鉛直方向に沿う振動が菌床１に加えられる。また、特に振動板５４の直上に菌床１が位置した際に、振動発生器５０からの鉛直方向に沿う振動も菌床１に加えられる。搬送ベルト３２の循環速度及び振動発生器５０の振動設定により、菌床１に加えられる振動量が調整される。
【００２８】
また、放電極６１に菌床１が近接したことが近接センサ６３によって検出された際に、高電圧発生器６０から放電極６１に高電圧が印加されて、放電極６１と菌床１との間に火花放電が発生される。火花放電による菌床１への電気刺激量は、選定された同軸ケーブル６２の長さによって調整される。
【００２９】
本発明者らは、刺激方法を加えることによる茸の育成効果について確認した。下記の表１に刺激方法の違いによる収穫数量の結果を示す。
【表１】
2013223436.tif 000003
【００３０】
上記の確認は、一般的な茸の育成環境おいて、同時に測定した結果である。振動刺激を加えることにより、茸の収穫数は１７２個から２２０個へ収穫量は３，０９６ｇから３，９９４ｇへ増加して約１３０％弱の増産率となり、茸の育成促進効果を確認できた。さらに、振動刺激に加えて電気刺激を加えることにより、茸の収穫数は２７０個へ収穫量は４、７６０ｇへ増加して１５０％以上の増産率となり、さらに茸の育成促進効果が確認できた。
【００３１】
すなわち、本実施の形態の構成を採ることにより、振動刺激を加えることによって茸の育成を確実に促進できることを確認できた。さらに、電気刺激をさらに加えることにより、より多くの刺激を菌床１に加えることができ、茸の育成をさらに促進できることを確認できた。
【００３２】
このような茸栽培用装置では、搬送ベルト３２上の菌床１に対して鉛直方向に沿う振動５ａを下方から加えるので、菌床１全体を突き上げるような振動を菌床１に加えることができる。これにより、ベルトコンベア３によって搬送される菌床１全体に対してより効果的に振動を加えることができ、茸の育成をより確実に促進できる。
【００３３】
また、振動発生器５０と基台２との間には弾性体５２が介在されているので、振動発生器５０で発生された振動が基台２に伝わることを制限できる。これにより、振動発生器５０からの振動をより多く菌床１に伝えることができ、茸の育成をより確実に促進できる。
【００３４】
さらに、振動板５４の表面には、往路３２ａにおいて搬送ベルト３２を上下動させる凹凸が形成されているので、搬送ベルト３２の上下動による振動を菌床１にさらに加えることができる。これにより、より多くの振動を菌床１に加えることができ、茸の育成をより確実に促進できる。
【００３５】
さらにまた、ガイドレール４は、往路３２ａにおいて搬送ベルト３２を上下動させるので、搬送ベルト３２を上下動による振動を菌床１にさらに加えることができる。これにより、より多くの振動を菌床１に加えることができ、茸の育成をより確実に促進できる。
【００３６】
また、高電圧発生器６０と放電極６１とによって、火花放電により菌床１に電気刺激を加えるので、さらに多くの刺激を菌床１に加えることができ、茸の育成をより確実に促進できる。
【００３７】
また、搬送ベルト３２が導電性ベルトにより構成されているので、より確実に火花放電により菌床１に電気刺激を加えることができ、茸の育成をより確実に促進できる。
【符号の説明】
【００３８】
１  菌床（茸栽培体）
２  基台
３  ベルトコンベア
４  ガイドレール
３２  搬送ベルト
５０  振動発生器
５２  弾性体
５３  腕部
５４  振動板
６０  高電圧発生器
６１  放電極
【図１】
2013223436.tif 000004
【図２】
2013223436.tif 000005